(57)【要約】      （修正有）【課題】ペットの胴回りの形状に沿うように装着でき、フィット性を向上できるペット用おむつを提供する。【解決手段】ペット用おむつ１は、ペットの胴回り方向に沿って配置される胴回り方向と、胴回り方向と直交する交差方向と、表面シート、裏面シート、及び吸収コア３０を有する本体部と、裏面シート側の面と表面シート側の面を接合する接合部４０と、を有する。本体部は、胴回り方向の一端部である本体第１端部と、胴回り方向の他端部であって、装着状態においておむつ１の外側に配置される本体第２端部２Ｅ２と、交差方向の一端部であって、装着状態においてペットの頭側に配置される本体第３端部と、交差方向の他端部であって、装着状態にペットの股側に配置される本体第４端部と、装着状態における本体第２端部２Ｅ２の位置を指標する目印部５０と、を有する。【選択図】図４
2020188750.tif 000002
【特許請求の範囲】
【請求項１】
ペットの胴回り方向に沿って配置される胴回り方向と、
前記胴回り方向と直交する交差方向と、
表面シート、裏面シート、及び前記表面シートと前記裏面シートの間に配置された吸収コアを有する本体部と、
前記ペットの胴回りに巻き付けられた装着状態において、互いに対向する前記本体部同士を接合する接合部と、を有するペット用おむつであって、
前記本体部は、
前記胴回り方向の一端部である本体第１端部と、
前記胴回り方向の他端部であって、前記装着状態において前記おむつの外側に配置される本体第２端部と、
前記交差方向の一端部であって、前記装着状態においてペットの頭側に配置される本体第３端部と、
前記交差方向の他端部であって、前記装着状態においてペットの股側に配置される本体第４端部と、
前記ペット用おむつの前記裏面シート側から視認可能に構成され、前記装着状態における前記本体第２端部の位置を指標する目印部と、を有し、
前記目印部は、前記本体部の前記交差方向の中心よりも前記本体第３端部側に位置する頭側目印部と、前記本体部の前記交差方向の中心よりも前記本体第４端部側に位置する股側目印部と、を有し、
前記頭側目印部は、前記股側目印部よりも前記胴回り方向の内側に位置する、ペット用おむつ。
【請求項２】
ペットの胴回り方向に沿って配置される胴回り方向と、
前記胴回り方向と直交する交差方向と、
表面シート、裏面シート、及び前記表面シートと前記裏面シートの間に配置された吸収コアを有する本体部と、
前記ペットの胴回りに巻き付けられた装着状態において、互いに対向する前記本体部同士を接合する接合部と、を有するペット用おむつであって、
前記本体部は、
前記胴回り方向の一端部である本体第１端部と、
前記胴回り方向の他端部であって、前記装着状態において前記おむつの外側に配置される本体第２端部と、
前記交差方向の一端部であって、前記装着状態においてペットの頭側に配置される本体第３端部と、
前記交差方向の他端部であって、前記装着状態においてペットの股側に配置される本体第４端部と、
前記ペット用おむつの前記裏面シート側から視認可能に構成され、前記装着状態における前記本体第２端部の位置を指標する目印部と、を有し、
前記目印部は、前記本体部の前記交差方向の中心よりも前記本体第３端部側に位置する頭側目印部と、前記本体部の前記交差方向の中心よりも前記本体第４端部側に位置する股側目印部と、を有し、
前記頭側目印部は、前記股側目印部よりも前記胴回り方向の外側に位置する、ペット用おむつ。
【請求項３】
前記接合部は、前記本体第１端部の裏面シート側の面に設けられ、前記装着状態において前記本体第２端部の前記表面シート側の面と接合し、
前記頭側目印部及び前記股側目印部の少なくとも一方は、前記接合部と隣接する領域に配置されている、請求項１又は請求項２に記載のペット用おむつ。
【請求項４】
前記接合部は、前記本体第１端部の裏面シート側の面に設けられ、前記装着状態において前記本体第２端部の前記表面シート側の面と接合し、
前記頭側目印部及び前記股側目印部の少なくとも一方は、前記接合部と重なる領域に配置されている、請求項１から請求項３のいずれか１項に記載のペット用おむつ。
【請求項５】
前記頭側目印部及び前記股側目印部の少なくとも一方は、前記装着状態における前記本体第２端部の前記胴回り方向における外端縁の位置を示す、請求項１から請求項４のいずれか１項に記載のペット用おむつ。
【請求項６】
前記接合部は、前記本体第１端部に配置されており、
前記目印部は、前記接合部によって構成されている、請求項１から請求項５のいずれか１項に記載のペット用おむつ。
【請求項７】
前記接合部は、前記頭側目印部を構成する頭側接合部と、前記股側目印部を構成する股側接合部と、を有し、
前記胴回り方向において、前記頭側接合部と前記股側接合部は、間隔を空けて配置されている、請求項６に記載のペット用おむつ。
【請求項８】
前記頭側目印部と前記股側目印部は、連なっており、前記交差方向に対して傾斜しつつ前記交差方向に延びている、請求項１から請求項６のいずれか１項に記載のペット用おむつ。
【請求項９】
前記目印部は、前記吸収コアの前記本体第１端部側の外端縁によって構成されている、請求項１から５及び請求項８のいずれか１項に記載のペット用おむつ。
【請求項１０】
シート材が連続した連続シート体を搬送するシート搬送工程と、
前記連続シート体に目印部を付与する目印付与工程と、
前記目印部を有する前記連続シート体に対して吸収コアを積層するコア積層工程と、
前記コア積層工程は、前記連続シート体の目印部の位置を検出し、当該目印部の位置に基づいて前記吸収コアの積層位置を調整する、ペット用おむつの製造方法。
【発明の詳細な説明】
【技術分野】
【０００１】
本発明は、犬や猫などのペットに装着されるペット用おむつに関する。
【背景技術】
【０００２】
特許文献１には、ペット用おむつが開示されている。特許文献１のペット用おむつは、吸収体を有する帯状の本体と、本体の表面側に配置された粘着シールと、本体の裏面側に配置されたシール受け部と、を有する。特許文献１のペット用おむつを装着する際は、ペットの胴回り方向に本体の長手方向を沿わせて、ペットの尿道口を吸収体によって覆うように位置合わせを行い、粘着シールとシール受け部を介してペットの胴回りにペット用おむつを巻き付ける（特許文献１の図３参照）。
【先行技術文献】
【特許文献】
【０００３】
【特許文献１】実用新案登録第３１４１５８０号公報
【発明の概要】
【発明が解決しようとする課題】
【０００４】
しかし、上述の特許文献１のペット用おむつには、以下の問題があった。
ペット用おむつにおける本体の長手方向は、ペット胴回り方向に沿うように配置され、本体の短手方向は、頭側から股側に延びる前後方向に沿うように配置される。このとき、前後方向の全域に亘って同じようにペット用おむつを巻き付けることが一般的である。しかし、ペットの胴回りの寸法は、前後方向において変化している。そのため、ペットの胴回りとおむつとの間に隙間が生じ、フィット性が低下することがあった。
【０００５】
よって、ペットの胴回りの形状に沿うように装着でき、フィット性を向上できるペット用おむつを提供することを目的とする。
【課題を解決するための手段】
【０００６】
一態様に係るペット用おむつは、ペットの胴回り方向に沿って配置される胴回り方向と、前記胴回り方向と直交する交差方向と、表面シート、裏面シート、及び前記表面シートと前記裏面シートの間に配置された吸収コアを有する本体部と、前記ペットの胴回りに巻き付けられた装着状態において、互いに対向する前記本体部同士を接合する接合部と、を有するペット用おむつであって、前記本体部は、前記胴回り方向の一端部である本体第１端部と、前記胴回り方向の他端部であって、前記装着状態において前記おむつの外側に配置される本体第２端部と、前記交差方向の一端部であって、前記装着状態においてペットの頭側に配置される本体第３端部と、前記交差方向の他端部であって、前記装着状態においてペットの股側に配置される本体第４端部と、前記ペット用おむつの前記裏面シート側から視認可能に構成され、前記装着状態における前記本体第２端部の位置を指標する目印部と、を有し、前記目印部は、前記本体部の前記交差方向の中心よりも前記本体第３端部側に位置する頭側目印部と、前記本体部の前記交差方向の中心よりも前記本体第４端部側に位置する股側目印部と、を有し、前記頭側目印部は、前記股側目印部よりも前記胴回り方向の内側に位置する。
【０００７】
他の態様に係るペット用おむつは、ペットの胴回り方向に沿って配置される胴回り方向と、前記胴回り方向と直交する交差方向と、表面シート、裏面シート、及び前記表面シートと前記裏面シートの間に配置された吸収コアを有する本体部と、前記ペットの胴回りに巻き付けられた装着状態において、互いに対向する前記本体部同士を接合する接合部と、を有するペット用おむつであって、前記本体部は、前記胴回り方向の一端部である本体第１端部と、前記胴回り方向の他端部であって、前記装着状態において前記おむつの外側に配置される本体第２端部と、前記交差方向の一端部であって、前記装着状態においてペットの頭側に配置される本体第３端部と、前記交差方向の他端部であって、前記装着状態においてペットの股側に配置される本体第４端部と、前記ペット用おむつの前記裏面シート側から視認可能に構成され、前記装着状態における前記本体第２端部の位置を指標する目印部と、を有し、前記目印部は、前記本体部の前記交差方向の中心よりも前記本体第３端部側に位置する頭側目印部と、前記本体部の前記交差方向の中心よりも前記本体第４端部側に位置する股側目印部と、を有し、前記頭側目印部は、前記股側目印部よりも前記胴回り方向の外側に位置する。
【図面の簡単な説明】
【０００８】
【図１】第１実施形態に係るペット用おむつの肌面側から見た平面図である。
【図２】第１実施形態に係るペット用おむつの非肌面側から見た平面図である。
【図３】図１に示すＡ−Ａ線に沿ったペット用おむつの模式的断面図である。
【図４】第１実施形態に係るペット用おむつの着用状態を模式的に示した図である。
【図５】第２実施形態に係るペット用おむつの非肌面側から見た平面図である。
【図６】第２実施形態に係るペット用おむつの着用状態を模式的に示した図である。
【図７】変形例１〜３に係るペット用おむつの非肌面側から見た平面図である。
【図８】変形例４〜６に係るペット用おむつの非肌面側から見た平面図である。
【図９】変形例７〜９に係るペット用おむつの非肌面側から見た平面図である。
【図１０】変形例１０〜１２に係るペット用おむつの非肌面側から見た平面図である。
【０００９】
（１）実施形態の概要
本明細書及び添付図面の記載により、少なくとも以下の事項が明らかとなる。
一態様に係るペット用おむつは、ペットの胴回り方向に沿って配置される胴回り方向と、前記胴回り方向と直交する交差方向と、表面シート、裏面シート、及び前記表面シートと前記裏面シートの間に配置された吸収コアを有する本体部と、前記ペットの胴回りに巻き付けられた装着状態において、互いに対向する前記本体部同士を接合する接合部と、を有するペット用おむつであって、前記本体部は、前記胴回り方向の一端部である本体第１端部と、前記胴回り方向の他端部であって、前記装着状態において前記おむつの外側に配置される本体第２端部と、前記交差方向の一端部であって、前記装着状態においてペットの頭側に配置される本体第３端部と、前記交差方向の他端部であって、前記装着状態においてペットの股側に配置される本体第４端部と、前記ペット用おむつの前記裏面シート側から視認可能に構成され、前記装着状態における前記本体第２端部の位置を指標する目印部と、を有し、前記目印部は、前記本体部の前記交差方向の中心よりも前記本体第３端部側に位置する頭側目印部と、前記本体部の前記交差方向の中心よりも前記本体第４端部側に位置する股側目印部と、を有し、前記頭側目印部は、前記股側目印部よりも前記胴回り方向の内側に位置する。
【００１０】
本態様によれば、使用者は、目印部に基づいて本体第２端部の装着時の位置を合わせることができる。具体的には、本体部の胴回り方向をペットの胴回りに沿わせた状態で本体部を胴回りに巻き付け、本体部同士を接合部によって止める。ペットの種類によっては、頭側の寸法が股側の寸法よりも短いことがある。頭側目印部が股側目印部よりも胴回り方向の内側に位置しており、使用者が頭側目印部及び股側目印部に沿うように本体第２端部を配置することにより、頭側の寸法が股側の寸法よりも短くなるようにおむつが装着される。よって、ペットの胴回りの形状に沿うようにおむつを配置でき、おむつのフィット性を向上できる。
【００１１】
他の態様に係るペット用おむつは、ペットの胴回り方向に沿って配置される胴回り方向と、前記胴回り方向と直交する交差方向と、表面シート、裏面シート、及び前記表面シートと前記裏面シートの間に配置された吸収コアを有する本体部と、前記ペットの胴回りに巻き付けられた装着状態において、互いに対向する前記本体部同士を接合する接合部と、を有するペット用おむつであって、前記本体部は、前記胴回り方向の一端部である本体第１端部と、前記胴回り方向の他端部であって、前記装着状態において前記おむつの外側に配置される本体第２端部と、前記交差方向の一端部であって、前記装着状態においてペットの頭側に配置される本体第３端部と、前記交差方向の他端部であって、前記装着状態においてペットの股側に配置される本体第４端部と、前記ペット用おむつの前記裏面シート側から視認可能に構成され、前記装着状態における前記本体第２端部の位置を指標する目印部と、を有し、前記目印部は、前記本体部の前記交差方向の中心よりも前記本体第３端部側に位置する頭側目印部と、前記本体部の前記交差方向の中心よりも前記本体第４端部側に位置する股側目印部と、を有し、前記頭側目印部は、前記股側目印部よりも前記胴回り方向の外側に位置する。
【００１２】
本態様によれば、使用者は、目印部に基づいて本体第２端部の装着時の位置を合わせることができる。具体的には、本体部の胴回り方向をペットの胴回りに沿わせた状態で本体部を胴回りに巻き付け、本体部同士を接合部によって止める。ペットの種類によっては、頭側の寸法が股側の寸法よりも長いことがある。頭側目印部が股側目印部よりも胴回り方向の外側に位置しており、使用者が頭側目印部及び股側目印部に沿うように本体第２端部を配置することにより、頭側の寸法が股側の寸法よりも長くなるようにおむつが装着される。よって、ペットの胴回りの形状に沿うようにおむつを配置でき、おむつのフィット性を向上できる。
【００１３】
好ましい一態様によれば、前記接合部は、前記本体第１端部の裏面シート側の面に設けられ、前記装着状態において前記本体第２端部の前記表面シート側の面と接合し、前記頭側目印部及び前記股側目印部の少なくとも一方は、前記接合部と隣接する領域に配置されてよい。本態様によれば、使用者は、接合部を操作する過程で目印部を視認し易く、目印部の存在に気づき易い。よって、目印部に基づいてペットの胴回りの形状に沿うようにおむつを装着できる。
【００１４】
好ましい一態様によれば、前記接合部は、前記本体第１端部の裏面シート側の面に設けられ、前記装着状態において前記本体第２端部の前記表面シート側の面と接合し、前記頭側目印部及び前記股側目印部の少なくとも一方は、前記接合部と重なる領域に配置されてよい。本態様によれば、使用者は、接合部を操作する過程で目印部を視認し易く、目印部に基づいてペットの胴回りの形状に沿うようにおむつを装着できる。
【００１５】
好ましい一態様によれば、前記頭側目印部及び前記股側目印部の少なくとも一方は、前記装着状態における前記本体第２端部の前記胴回り方向における外端縁の位置を示してよい。本態様によれば、使用者は、装着状態における本体第２端部の胴回り方向における外端縁の位置及び角度を直感的に把握できる。目印部に合うように本体第２端部の胴回り方向における外端縁を配置することにより、適切な位置及び角度でおむつを装着できる。
【００１６】
好ましい一態様によれば、前記接合部は、前記本体第１端部に配置されており、前記目印部は、前記接合部によって構成されてよい。本態様によれば、装着時に接合部に本体第２端部を止める際は、接合部に沿うように本体第２端部を配置することが一般的である。接合部に沿うように本体第２端部を配置することで、意識せずにペットの胴回りの形状に沿うようにおむつを装着できる。
【００１７】
好ましい一態様によれば、前記接合部は、前記頭側目印部を構成する頭側接合部と、前記股側目印部を構成する股側接合部と、を有し、前記胴回り方向において、前記頭側接合部と前記股側接合部は、間隔を空けて配置されてよい。本態様によれば、頭側接合部と股側接合部が間隔を空けて配置されていることにより、頭側接合部と股側接合部が一体化した構成と比較して、段階的に本体第２端部を接合することができる。そのため、手の小さい女性や子供であっても、意図した状態で装着し易く、おむつのフィット性をより向上できる。
【００１８】
好ましい一態様によれば、前記頭側目印部と前記股側目印部は、連なっており、前記交差方向に対して傾斜しつつ前記交差方向に延びてよい。本態様によれば、頭側目印部と股側目印部が連なっているため、本体第２端部の位置あわせを連続して行うことができ、本体第２端部を徐々に接合部を止めることができる。そのため、手の小さい女性や子供であっても、意図した状態で装着し易く、おむつのフィット性をより向上できる。
【００１９】
好ましい一態様によれば、前記目印部は、前記裏面シートに設けられた印刷部によって構成されてよい。本態様によれば、印刷部によって装飾性を高めつつ、本体第２端部の装着位置のガイドも行うことができる。
【００２０】
好ましい一態様によれば、前記目印部は、前記吸収コアの前記本体第１端部側の外端縁によって構成されてよい。本態様によれば、使用者は、装着時に目印部に基づいて位置合わせをする課程で、吸収コアの外端縁の位置を把握し易くなる。吸収コアの外端縁の位置を把握することで、漏れが発生しないように吸収コアを配置することができる。
【００２１】
一態様に係るペット用おむつの製造方法は、シート材が連続した連続シート体を搬送するシート搬送工程と、前記連続シート体に目印部を付与する目印付与工程と、前記目印部を有する前記連続シート体に対して吸収コアを積層するコア積層工程と、前記コア積層工程は、前記連続シート体の目印部の位置を検出し、当該目印部の位置に基づいて前記吸収コアの積層位置を調整する。本態様によれば、目印部と吸収コアの相対位置を一定に保つことができる。よって、目印部を基準としておむつを装着した際に、個々のおむつによって吸収コアの装着位置がずれることを抑制できる。おむつ全体における目印部の位置ずれを抑制することにより、目印部による位置合わせの精度を向上できる。
【００２２】
（２）ペット用おむつの構成
以下、図面を参照して、実施形態に係るペット用おむつについて説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００２３】
本明細書において、「ペット」は、脊椎動物や無脊椎動物を広く包含し、典型的には、猫、犬、ウサギ、ハムスターなどの愛玩動物を含む。本実施の形態のペット用おむつは、犬用のおむつである。なお、変形例において、猫用のおむつであってよい。
【００２４】
図１は、第１実施形態に係るペット用おむつの肌面側からから見た平面図である。図２は、第１実施形態に係るペット用おむつの非肌面側からから見た平面図である。図３は、図１に示すＡ−Ａ線に沿ったペット用おむつの模式的断面図である。図１及び図２では、ペット用おむつ１を皺が形成されない状態まで伸長させた伸長状態を示している。また、図３に示す断面図では、説明の便宜上、各部材を厚み方向Ｔにおいて離間して示しているが、実際の製品においては厚み方向Ｔに接している。図４は、ペット用おむつの着用状態を模式的に示した図である。
【００２５】
ペット用おむつ１は、ペットの胴回り方向に沿って配置される胴回り方向Ｗと、胴回り方向Ｗと直交する交差方向Ｚと、胴回り方向Ｗ及び交差方向Ｚと直交する厚み方向Ｔと、を有する。交差方向Ｚは、ペットの縦方向、すなわち股下側から股下から離れる側を繋ぐ方向に延びる。厚み方向Ｔは、着用状態においてペットに当てられる表面側Ｔ１と、着用状態において外側に向けられる裏面側Ｔ２と、に延びる。図４に示すように、実施形態に係るペット用おむつ１は、ペットの腹側から股下を通って背側まで覆うように配置されず、腰周りに巻き付けるように装着される。よって、ペット用おむつ１の胴回り方向Ｗの長さは、ペット用おむつ１の交差方向Ｚの長さよりも長い。
【００２６】
ペット用おむつ１は、本体部２と、接合部４０と、を有する。本体部２は、胴回り方向Ｗの一端部である本体第１端部２Ｅ１と、胴回り方向Ｗの他端部である２Ｅ２と、交差方向Ｚの一端部である本体第３端部２Ｅ３と、交差方向Ｚの他端部である本体第４端部２Ｅ４と、を有してよい。本体第１端部２Ｅ１は、ペットの胴回りに巻き付けられた装着状態（図４参照）において本体第２端部２Ｅ２によって覆われ、おむつの内側（ペット側）に配置される。本体第２端部２Ｅ２は、本体第１端部２Ｅ１と対向しており、装着状態においておむつの外側に配置される。本体第３端部２Ｅ３は、装着状態においてペットの頭側に配置される。本体第４端部２Ｅ４は、本体第３端部２Ｅ３と対向しており、装着状態においてペットの股側（臀部側）に配置される。
【００２７】
本体部２は、表面シート１０、裏面シート２０、及び吸収コア３０を少なくとも有する。表面シート１０は、本体部２においてペットに当てられる内面２Ｐに配置されている。表面シート１０は、体液を吸収コア３０側に透過させる液透過性を有する。表面シート１０は、交差方向Ｚの中央に位置し、吸収コア３０を覆うセンターシート１１と、センターシート１１の交差方向Ｚの両側部を覆うサイドシート１２と、を有してよい。表面シート１０には、印刷部が設けられてよい。印刷部は、後述する目印部５０を構成してよい。
【００２８】
図３に示すように、サイドシート１２は、折り畳まれていてよい。具体的には、本体第３端部２Ｅ３側（図１における左側）のサイドシート１２は、サイドシート１２の内側縁において外面側Ｔ２に折り返されている。また、本体第４端部２Ｅ４側（図１における右側）のサイドシート１２は、サイドシート１２の内側縁において表面側Ｔ１に折り返されるとともに、折り返された部分が表面側Ｔ１に折り返されている。折り返されたサイドシート１２間に、胴回り方向Ｗに伸長された状態のサイド伸縮性部材１３が配置されてよい。サイド伸縮性部材１３は、ペット側に起立する防漏ギャザーを構成してよい。なお、交差方向Ｚの一端部側のサイドシートと、交差方向の他端部側のサイドシートと、は、本実施の形態において非対称であるが、変形例において対称であってよい。また、本発明における端部は、端縁を含む一定の範囲を占める部分である。
【００２９】
吸収コア３０は、表面シート１０と裏面シート２０の間に配置されている。吸収コア３０は、パルプ等の吸収材料が積層されている。図３に示すように、吸収コア３０を覆うコアラップ３２が設けられていてよい。吸収コア３０は、胴回り方向Ｗにおいて本体部２の両端縁よりも内側に配置されている。すなわち、吸収コア３０の胴回り方向Ｗの長さは、本体部２の胴回り方向Ｗの長さよりも短い。吸収コア３０は、本体部２の胴回り方向Ｗの中央に配置され、本体部２の胴回り方向Ｗの外側部には設けられていない。また、吸収コア３０は、交差方向Ｚにおいて本体部２の両端縁よりも内側に配置されてよい。すなわち、吸収コア３０の交差方向Ｚの長さは、本体部２の交差方向Ｚの長さよりも短くてよい。吸収コア３０は、本体部２の交差方向Ｚの中央に配置され、本体部２の交差方向Ｚの外側部には設けられていなくてよい。また、吸収コア３０及びコアラップ３２には、印刷部が設けられてよい。印刷部は、目印部５０を構成してよい。
【００３０】
裏面シート２０は、本体部２において装着時に外側に位置する外面２Ｑに配置されている。裏面シート２０は、液不透過性の裏面フィルム２１と、裏面フィルム２１よりも裏面側に位置する裏面不織布２２と、を有してよい。なお、変形例において、裏面シートは、液不透過性の裏面フィルムと、裏面フィルム２１よりも内面側に位置する裏面不織布と、を有してよい。裏面フィルム２１の表面側Ｔ１の面には、体液の接触によって呈色反応を示すインジケータと、印刷部が設けられてよく、裏面フィルム２１の外面側Ｔ２の面には、印刷部が設けられてよい。インジケータ及び印刷部の少なくとも一方は、目印部５０を構成してよい。裏面フィルム２１の交差方向Ｚの長さは、裏面不織布２２の交差方向Ｚの長さよりも短くてよい。すなわち、裏面不織布２２は、裏面フィルム２１よりも交差方向Ｚの両側に延出してよい。裏面フィルム２１全体に印刷部が設けられた形態にあっては、裏面フィルム２１が配置された領域が印刷領域Ｒ１を構成し、裏面フィルム２１よりも交差方向Ｚの両側に、印刷が施されていない非印刷領域Ｒ２が設けられていてよい。
【００３１】
本体部２の交差方向Ｚの両端部には、胴回り方向Ｗに伸縮する胴回りギャザーが配置されてよい。胴回りギャザーは、吸収コア３０よりも交差方向Ｚの外側に位置しており、表面シート１０、裏面シート２０、及び胴回り伸縮性部材２５によって構成されてよい。胴回り伸縮性部材２５は、表面シート１０と裏面シート２０の間に配置され、胴回り方向Ｗに伸長された状態で表面シート１０及び裏面シート２０に固定されてよい。
【００３２】
接合部４０は、装着状態において、互いに対向する本体部２同士を接合する。具体的には、接合部４０は、本体第１端部２Ｅ１の外面２Ｑを本体第２端部２Ｅ２の内面２Ｐに止めるための接合手段である。本実施の形態の接合部４０は、本体部２の本体第１端部２Ｅ１に配置されている。より詳細には、接合部４０は、本体第１端部２Ｅ１の外面に配置されたメカニカルファスナである。接合部４０は、本体部２の本体第２端部２Ｅ２の表面シート１０に係止可能に構成されている。ペット用おむつ１を装着する際に、接合部４０を覆うように本体第２端部２Ｅ２を配置することで、接合部４０が本体第２端部２Ｅ２の表面シート１０に係止して、ペット用おむつの着用状態を維持できる。なお、変形例において、接合部４０は、本体第２端部２Ｅ２の内面２Ｐに配置され、本体第１端部２Ｅ１の裏面シート２０に接合可能に構成されてよい。すなわち、変形例において、接合部は、本体部の内面に配置されており、本体部の裏面シートに係止可能に構成されてよい。
【００３３】
次いで、目印部５０について説明する。目印部５０は、ペット用おむつ１の装着位置をガイドする。目印部５０は、ペット用おむつの裏面シート側（外面側）から視認可能に構成されている。ペット用おむつの裏面シート側は、着用状態で外側に位置しておりペットにおむつを当てた後でも視認可能であるため、装着操作の過程のみならず、装着操作後にも位置合わせを行うことができる。着用時におむつが胴回り方向に回転してずれてしまった場合であっても、目印部に基づいて位置のずれを把握でき、適した位置に直すことができる。
【００３４】
なお、本発明における「視認可能」とは、昼白色（色温度目安 ４６００〜５４００ Ｋ（ケルビン））で明るく照明された室内(目安：５００〜７５０ ｌｘ（ルクス））で約３０〜５０ｃｍの距離で、良好な視力（１．０以上）を両眼に有する被験者が対象物を見たときに視認できることを意味している。
【００３５】
目印部５０は、装着状態における本体第２端部２Ｅ２の位置を指標する。目印部５０は、装着状態において本体第２端部２Ｅ２と重なる位置に設けられ、使用者は、目印部５０と重なるように本体第２端部２Ｅ２を配置してもよい。また、他の形態において、目印部５０は、矢印等によって本体第２端部２Ｅ２の装着時の位置を指し示し、使用者は、目印部５０に示された位置に本体第２端部２Ｅ２を配置してもよい。本実施の形態の目印部５０は、本体第２端部２Ｅ２における本体部２の端縁の装着時の位置を示している。
【００３６】
目印部５０は、本体部２の交差方向Ｚの中心２ＺＣよりも本体第３端部２Ｅ３側に位置する頭側目印部５３と、本体部２の交差方向Ｚの中心２ＺＣ図よりも本体第４端部２Ｅ４側に位置する股側目印部５４と、を有している。頭側目印部５３と股側目印部５４は、離間していてもよいし、一体化していてもよい。頭側目印部５３と股側目印部５４が一体化した形態にあっては、頭側目印部５３と股側目印部５４の境界は、本体部２の交差方向Ｚの中心２ＺＣであってよい。頭側目印部５３は、股側目印部５４よりも胴回り方向Ｗの内側に位置している。胴回り方向Ｗの内側とは、本体部２の胴回り方向Ｗの中心２ＷＣ側である。よって、頭側目印部５３の少なくとも一部は、股側目印部５４よりも本体部２の胴回り方向Ｗの中心２ＷＣ側に位置している。
【００３７】
本体部２の胴回り方向Ｗは、ペットの胴回り方向に沿うように配置され、本体部２の交差方向Ｚは、頭側から股部側に延びる前後方向に沿うように配置される。ペットの胴回りの寸法は、前後方向において変化しており、ペットによっては、頭側における胴回り寸法が股側における胴回り寸法よりも短い。そのため、平面視にて長方形状の本体部２であるペット用おむつにあっては、ペットの胴回りとおむつとの間に隙間が生じ、フィット性が低下することがあった。また、ペットの種類によってペットの胴回り寸法は異なり、また季節によって毛の抜け替わりがあってペットの胴回り寸法が変化する。そのため、使用者は、ペットの身体の形状に適した状態で装着し難いことがある。
【００３８】
しかし、本実施の形態によれば、使用者は、目印部５０に基づいて本体第２端部２Ｅ２の装着時の位置を合わせることにより、頭側の寸法が股側の寸法よりも短くなるようにおむつを装着できる。具体的には、図４に示すように、使用者は、本体部２の胴回り方向Ｗをペットの胴回りに沿わせた状態で本体部２を胴回りに巻き付け、本体部２同士を接合部４０によって止める。このとき、頭側目印部５３が股側目印部５４よりも胴回り方向Ｗの内側に位置しており、頭側目印部５３及び股側目印部５４に沿うように本体第２端部２Ｅ２を配置することにより、頭側の寸法が股側の寸法よりも短くなるようにおむつが装着される。ペットの胴回りの形状に沿うように装着することにより、フィット性を向上できる。
【００３９】
本実施の形態の接合部４０は、本体第１端部２Ｅ１の裏面シート側の面に設けられており、装着状態において本体第２端部２Ｅ２の表面シート側の面と接合するように構成されている。頭側目印部５３及び股側目印部５４の少なくとも一方は、接合部４０と隣接する隣接領域ＲＡに配置されてよい。隣接領域ＲＡは、平面視にて接合部４０の周囲の領域であり、好適には、接合部４０との距離が２０ｍｍの領域であってよい。図２において、隣接領域ＲＡの胴回り方向の範囲を示す。使用者は、ペット用おむつ１を装着する操作過程で、接合部４０のみならず、その周囲である隣接領域ＲＡを視認する。そのため、使用者は、目印部５０の存在に気づき易く、目印部５０に基づいてペットの胴回りの形状に沿うようにおむつを装着できる。
【００４０】
頭側目印部５３及び股側目印部５４の少なくとも一方は、装着状態における本体第２端部２Ｅ２の胴回り方向Ｗにおける外端縁の位置を示してよい。使用者は、装着状態における本体第２端部２Ｅ２の胴回り方向Ｗにおける外端縁の位置及び角度を直感的に把握できる。目印部５０に合うように本体第２端部２Ｅ２の胴回り方向Ｗにおける外端縁を配置することにより、適切な位置及び角度でおむつを装着できる。
【００４１】
頭側目印部５３と股側目印部５４は、連なっており、交差方向Ｚに対して傾斜しつつ交差方向Ｚに延びてよい。頭側目印部５３と股側目印部５４が連なっているため、本体第２端部２Ｅ２の位置合わせを連続して行うことができる。使用者は、目印部５０を視認して、本体第２端部２Ｅ２を徐々に接合部４０に止めることができ、適切な位置に装着し易い。
【００４２】
目印部５０は、裏面シート２０に設けられた印刷部であってもよい。印刷部によって装飾性を高めつつ本体第２端部２Ｅ２の装着位置のガイドも行うことができる。本実施の形態の裏面フィルム２１の外面には、全体に亘って印刷部が設けられている。印刷部は、目印部５０を構成するとともに装飾部５９を構成してよい。図２に示すように、本実施の形態の裏面フィルムの外面側の面には、目印部５０を構成する印刷部と、装飾部５９を構成する印刷部と、が設けられている。なお、装飾部５９は、目印部以外のデザインを有する部分であり、図柄や模様を有するデザインのみならず、色のみからなる背景色を含む。また、変形例において、目印部は、裏面シート２０又はコアラップ３２に設けられたインジケータであってもよい。
【００４３】
他の形態において、目印部５０は、境界目印部であってよい。具体的には、印刷部は、第１装飾部と、第１装飾部と異なるデザインの第２装飾部と、を有し、第１装飾部と第２装飾部の境界が、境界目印部を構成してよい。本態様によれば、第１装飾部と第２装飾部の２つのデザインによって装飾性を高めつつ目印部５０による位置合わせも行うことができる。
【００４４】
図２に示すように、裏面シート２０には、目印部５０を含むデザインが印刷された印刷領域Ｒ１と、印刷が施されてない非印刷領域Ｒ２と、が設けられてよい。非印刷領域Ｒ２は、裏面シート２０の交差方向Ｚの両端部に少なくも設けられてよい。使用者は、非印刷領域Ｒ２と印刷領域Ｒ１の境界によって、本体部２の交差方向Ｚの両端部を把握できる。また、非印刷領域Ｒ２が設けられていることによって印刷領域Ｒ１が目立ち易くなり、印刷領域Ｒ１内の目印部５０の視認性をより向上できる。更に、非印刷領域Ｒ２と印刷領域Ｒ１の境界は、胴回り方向Ｗに沿って延び、かつ吸収コア３０よりも交差方向Ｚの外側に位置してよい。すなわち、非印刷領域Ｒ２は、吸収コア３０よりも交差方向Ｚの外側のみに配置されてよい。使用者は、非印刷領域Ｒ２によって吸収コア３０が配置されていない領域を把握でき、漏れが発生しないように吸収コア３０を配置できる。
【００４５】
次いで、図５及び図６に基づいて、第２実施形態に係るペット用おむつ１Ｘについて説明する。図５は、第２実施形態に係るペット用おむつの非肌面側から見た平面図である。図６は、第２実施形態に係るペット用おむつの着用状態を模式的に示した図である。なお、以下、上述の実施形態と同様の構成については同符号を用いて説明を省略する。第２実施形態に係るペット用おむつ１Ｘの目印部５０Ｘは、頭側目印部５３Ｘと股側目印部５４Ｘを有する。頭側目印部５３Ｘは、股側目印部５４Ｘよりも胴回り方向Ｗの外側に位置している。よって、股側目印部５４Ｘの少なくとも一部は、頭側目印部５３Ｘよりも本体部２の胴回り方向Ｗの中心２ＷＣ側に位置している。
【００４６】
本体部２の胴回り方向Ｗは、ペットの胴回り方向に沿うように配置され、本体部２の交差方向Ｚは、頭側から股部側に延びる前後方向に沿うように配置される。ペットの胴回りの寸法は、前後方向において変化しており、ペットによっては、頭側における胴回り寸法が股側における胴回り寸法よりも長い。そのため、平面視にて長方形状の本体部２であるペット用おむつにあっては、ペットの胴回りとおむつとの間に隙間が生じ、フィット性が低下することがあった。また、ペットの種類によってペットの胴回り寸法は異なり、また季節によって毛の抜け替わりがあってペットの胴回り寸法が変化する。そのため、使用者は、ペットの身体の形状に適した状態で装着し難いことがある。
【００４７】
しかし、本実施の形態によれば、使用者は、目印部５０Ｘに基づいて本体第２端部２Ｅ２の装着時の位置を合わせることにより、頭側の寸法が股側の寸法よりも長くなるようにおむつを装着できる。具体的には、図６に示すように、使用者は、本体部２の胴回り方向Ｗをペットの胴回りに沿わせた状態で本体部２を胴回りに巻き付け、本体部２同士を接合部４０によって止める。このとき、頭側目印部５３Ｘが股側目印部５４Ｘよりも胴回り方向Ｗの外側に位置しており、頭側目印部５３Ｘ及び股側目印部５４Ｘに沿うように本体第２端部２Ｅ２を配置することにより、頭側の寸法が股側の寸法よりも長くなるようにおむつが装着される。ペットの胴回りの形状に沿うように装着することにより、フィット性を向上できる。
【００４８】
次いで、変形例に係るペット用おむつについて説明する。なお、以下、上述の実施形態と同様の構成については同符号を用いて説明を省略する。図７及び図８は、第１実施形態に係るペット用おむつの変形例であり、ペット用おむつの非肌面側から見た平面図である。
【００４９】
図７（ａ）は、変形例１に係るペット用おむつ１Ａを示している。変形例１に係るペット用おむつ１Ａの目印部５０Ａは、頭側目印部５３Ａ及び股側目印部５４Ａの少なくとも一方が接合部４０と重なる領域に配置されている。具体的には、股側目印部５４Ａが接合部４０と重なる領域に配置されている。なお、股側目印部５４Ａの少なくとも一部が接合部４０と重なっていてもよいし、頭側目印部５３Ａの少なくとも一部が接合部４０と重なっていればよい。使用者は、接合部を操作する過程で目印部５０Ａを視認し易い。変形例１に係るペット用おむつ１Ａによれば、目印部５０Ａに基づいてペットの胴回りの形状に沿うようにおむつをより装着し易い。
【００５０】
図７（ｂ）は、変形例２に係るペット用おむつ１Ｂを示している。変形例２に係るペット用おむつ１Ｂの目印部５０Ｂは、接合部４０Ｂによって構成されている。変形例２に係る接合部４０Ｂの胴回り方向における端縁は、本体第４端部２Ｅ４から本体第３端部２Ｅ３側に向かって胴回り方向の内側に傾斜している。接合部４０Ｂは、平面視にて矩形である。接合部４０Ｂの平面視の形状は、直方体であってもよいし、平行四辺形であってもよい。装着時に接合部４０Ｂに本体第２端部２Ｅ２を止める際は、接合部４０Ｂに沿うように本体第２端部２Ｅ２を配置することが一般的である。変形例２に係るペット用おむつ１Ｂによれば、接合部４０Ｂに沿うように本体第２端部２Ｅ２を配置することで、意識せずに頭側に向かって先細りとなるようにおむつを装着できる。
【００５１】
図７（ｃ）は、変形例３に係るペット用おむつ１Ｃを示している。変形例３に係るペット用おむつ１Ｃは、目印部５０Ｃが接合部４０Ｃによって構成されており、接合部４０Ｃは、頭側目印部５３Ｃを構成する頭側接合部４０Ｃ１と、股側目印部５４Ｃを構成する股側接合部４０Ｃ２と、を有している。頭側接合部４０Ｃ１と股側接合部４０Ｃ２は、平面視にて間隔を空けて配置されている。頭側接合部４０Ｃ１と股側接合部４０Ｃ２は、離間していればよく、胴回り方向Ｗにおいて間隔を空けて配置されていてもよいし、交差方向Ｚに間隔を空けて配置されていてもよい。変形例３に係る頭側接合部４０Ｃ１と股側接合部４０Ｃ２は、それぞれ交差方向Ｚに沿って延びており、頭側接合部４０Ｃ１の胴回り方向Ｗの中心は、股側接合部４０Ｃ２の胴回り方向Ｗの中心よりも本体部２の胴回り方向Ｗの中心２ＷＣ側に位置している。頭側接合部４０Ｃ１と股側接合部４０Ｃ２が間隔を空けて配置されていることにより、頭側接合部と股側接合部が一体化した構成と比較して、段階的に本体第２端部２Ｅ２を接合することができる。そのため、一方の接合部で仮止めをするとともに他方の接合部で本止めを行った後に、仮止めしていた一方の接合部を外して、再度一方の接合部をつけ直すことができる。このような接合態様によれば、接合部を１回で止める形態と比較して、身体に対して適切なフィット態様で装着し易く、おむつのフィット性をより向上できる。また、このような接合態様によれば、手の小さい女性や子供であっても、意図した状態で装着し易く、おむつのフィット性をより向上できる。
【００５２】
図８（ａ）は、変形例４に係るペット用おむつ１Ｄを示している。変形例４に係るペット用おむつ１Ｄの目印部５０Ｄは、吸収コア３０の本体第１端部２Ｅ１側の外端縁３０Ｅ１によって構成されている。吸収コア３０の本体第１端部２Ｅ１側の外端縁３０Ｅ１は、吸収コア３０の胴回り方向の外端縁であって、本体第４端部２Ｅ４から本体第３端部２Ｅ３側に向かって胴回り方向Ｗの内側に傾斜している。変形例４に係るペット用おむつ１Ｄによれば、使用者は、装着時に目印部５０Ｄに基づいて位置合わせをする課程で、吸収コア３０の外端縁の位置を把握し易くなる。吸収コアの外端縁の位置を把握することで、漏れが発生しないように吸収コア３０を配置することができる。
【００５３】
図８（ｂ）は、変形例５に係るペット用おむつ１Ｅを示している。変形例５に係るペット用おむつ１Ｅの目印部５０Ｅは、本体部２の本体第２端部２Ｅ２側の外端縁によって構成されている。本体部２の本体第２端部２Ｅ２側の外端縁は、交差方向Ｚ及び胴回り方向Ｗに対して傾斜し、本体第４端部２Ｅ４から本体第３端部２Ｅ３側に向かって胴回り方向Ｗの内側に傾斜している。変形例５に係るペット用おむつ１Ｅによれば、装着状態における本体第２端部の前記胴回り方向における外端縁の位置及び角度を直感的に把握でき、適切な位置及び角度で配置できる。
【００５４】
図８（ｃ）は、変形例６に係るペット用おむつ１Ｆを示している。変形例６に係るペット用おむつ１Ｆの目印部５０Ｆは、装着状態における本体第１端部２Ｅ１の胴回り方向Ｗにおける外端縁と本体第２端部２Ｅ２の胴回り方向Ｗにおける外端縁とがなす角度を示している。変形例６に係るペット用おむつ１Ｆによれば、装着状態における本体部の胴回り方向の外端縁の位置及び角度を直感的に把握でき、適切な位置及び角度で配置できる。
【００５５】
図９及び図１０は、第２実施形態に係るペット用おむつの変形例であり、ペット用おむつの非肌面側から見た平面図である。図９（ａ）は、変形例７に係るペット用おむつ１Ｇである。変形例７に係るペット用おむつ１Ｇの目印部５０Ｇと、変形例１に係るペット用おむつ１Ａの目印部５０Ａと、は、本体部２の交差方向Ｚの中心２ＺＣに対する線対称の関係である。変形例７に係るペット用おむつ１Ｇは、頭側目印部５３Ｇ及び股側目印部５４Ｇの少なくとも一方が接合部４０と重なる領域に配置されている。頭側目印部５３Ｇは、股側目印部５４Ｇよりも胴回り方向の外側に位置している。
【００５６】
図９（ｂ）は、変形例８に係るペット用おむつ１Ｈである。変形例８に係るペット用おむつ１Ｈの目印部５０Ｈと、変形例２に係るペット用おむつ１Ｂの目印部５０Ｂと、は、本体部２の交差方向Ｚの中心２ＺＣに対する線対称の関係である。変形例８に係るペット用おむつ１Ｈの目印部５０Ｈは、接合部４０Ｈによって構成されている。変形例８に係る接合部４０Ｈの胴回り方向における端縁は、本体第３端部２Ｅ３から本体第４端部２Ｅ４側に向かって胴回り方向の内側に傾斜している。
【００５７】
図９（ｃ）は、変形例９に係るペット用おむつ１Iである。変形例９に係るペット用おむつ１Iの目印部５０Ｉと、変形例３に係るペット用おむつ１Ｃの目印部５０Ｃと、は、本体部２の交差方向Ｚの中心２ＺＣに対する線対称の関係である。変形例９に係るペット用おむつ１Ｉは、目印部５０Iが接合部４０Ｉによって構成されており、接合部４０Iは、頭側目印部５３Iを構成する頭側接合部４０I１と、股側目印部５４Iを構成する股側接合部４０I２と、を有している。頭側接合部４０I１と股側接合部４０I２は、平面視にて間隔を空けて配置されている。変形例９に係る頭側接合部４０I１と股側接合部４０I２は、それぞれ交差方向Ｚに沿って延びており、頭側接合部４０I１の胴回り方向Ｗの中心は、股側接合部４０I２の胴回り方向Ｗの中心よりも本体部２の胴回り方向Ｗの外側に位置している。
【００５８】
図１０（ａ）は、変形例１０に係るペット用おむつ１Jを示している。変形例１０に係るペット用おむつ１Jの目印部５０Jと、変形例４に係るペット用おむつ１Ｄの目印部５０Ｄと、は、本体部２の交差方向Ｚの中心２ＺＣに対する線対称の関係である。変形例１０に係るペット用おむつ１Ｊの目印部５０Ｊは、吸収コア３０の本体第１端部２Ｅ１側の外端縁３０Ｅ１によって構成されている。吸収コア３０の本体第１端部２Ｅ１側の外端縁３０Ｅ１は、吸収コア３０の胴回り方向の外端縁であって、本体第３端部２Ｅ３から本体第４端部２Ｅ４側に向かって胴回り方向Ｗの内側に傾斜している。
【００５９】
図１０（ｂ）は、変形例１１に係るペット用おむつ１Ｋを示している。変形例１１に係るペット用おむつ１Ｋの目印部５０Ｋと、変形例５に係るペット用おむつ１Ｅの目印部５０Ｅと、は、本体部２の交差方向Ｚの中心２ＺＣに対する線対称の関係である。変形例１１に係るペット用おむつ１Ｋの目印部５０Ｋは、本体部２の本体第２端部２Ｅ２側の外端縁によって構成されている。本体部２の本体第２端部２Ｅ２側の外端縁は、交差方向Ｚ及び胴回り方向Ｗに対して傾斜し、本体第３端部２Ｅ３から本体第４端部２Ｅ４側に向かって胴回り方向Ｗの内側に傾斜している。
【００６０】
図１０（ｃ）は、変形例１２に係るペット用おむつ１Ｌを示している。変形例１２に係るペット用おむつ１Ｌの目印部５０Ｌと、変形例６に係るペット用おむつ１Ｆの目印部５０Ｆと、は、本体部２の交差方向Ｚの中心２ＺＣに対する線対称の関係である。変形例１２に係るペット用おむつ１Ｌの目印部５０Ｌは、装着状態における本体第１端部２Ｅ１の胴回り方向Ｗにおける外端縁と本体第２端部２Ｅ２の胴回り方向Ｗにおける外端縁とがなす角度を示している。
【００６１】
次いで、このように構成されたペット用おむつの製造方法の一例について説明する。ペット用おむつの製造方法は、シート材が連続した連続シート体を搬送するシート搬送工程と、連続シート体に印刷を施し、目印部５０を設ける目印付与工程と、目印部５０を有する連続シート体に対して吸収コア３０を積層する吸収コア積層工程と、を有してよい。
【００６２】
シート材が連続した連続シート体を搬送するシート搬送工程は、表面シート１０、裏面シート及びコアラップのいずれかを構成するシート材が連続した連続シート体を搬送する。目印付与工程は、連続シート体に目印部５０を付与する。目印部５０の付与は、印刷によって行ってもよいし、エンボス加工によって行ってもよい。コア積層工程は、連続シート体の目印部５０の位置を検出する。目印部５０の検出は、カメラ等の撮像手段によって目印部５０の位置を検出してよい。コア積層工程は、目印部５０の位置に基づいて吸収コア３０の積層位置を調整する。吸収コア３０の積層位置の調整は、吸収コア３０と連続シート体との位置の調整である。具体的には、連続シート体の送り出し量を調整することによって、連続シート体と吸収コア３０の搬送方向における位置を調整できる。また、搬送方向と直交する直交方向における連続シート体の側端に接する調整機構を設け、当該調整機構によって連続シート体の直交方向における位置を調整してもよい。このような製造方法によれば、目印部５０と吸収コア３０の相対位置を一定に保つことができる。よって、目印部５０を基準としておむつを装着した際に、個々のおむつによって吸収コア３０の装着位置がずれることを抑制できる。おむつ全体における目印部５０の位置ずれを抑制することにより、目印部５０による位置合わせの精度を向上できる。
【００６３】
次いで、複数のペット用おむつが包装体に収容された収容体について説明する。収容体は、複数のペット用おむつと、当該複数のペット用おむつを収容する包袋体と、を有する。複数のペット用おむつは、裏面シートに第１装飾部が印刷された第１おむつと、第１装飾部と異なるデザインの第２装飾部が裏面シートに印刷された第２おむつを有する。なお、ここにおける第１装飾部及び第２装飾部は、２つのデザインが異なっていればよく、上述の実施形態の第１装飾部及び第２装飾部と異なるデザインであってよい。本実施の形態では、裏面シートの裏面フィルムに第１装飾部又は第２装飾部が印刷されている。本実施形態によれば、第１装飾部及び目印部を有する第１おむつと、第２装飾部及び目印部を有する第２おむつと、によって装飾性を高めて使用者の注意を引きつけ、目印部の視認性を向上できる。第１装飾部及び第２装飾部は、目印部以外のデザインを有する部分であり、図柄や模様を有するデザインのみならず、色のみからなる背景色を含む。
【００６４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【００６５】
ペットの胴回りの形状に沿うように装着でき、フィット性を向上できるペット用おむつを提供することができる。
【符号の説明】
【００６６】
１、１Ｘ、１Ｂ、１Ｃ、１Ｄ、１Ｅ、１Ｆ：ペット用おむつ、２  ：本体部、２Ｅ１  ：本体第１端部、２Ｅ２  ：本体第２端部、２Ｅ３  ：本体第３端部、２Ｅ４  ：本体第４端部、２Ｐ  ：内面、２Ｑ  ：外面、１０  ：表面シート、２０  ：裏面シート、２１  ：裏面フィルム、２２  ：裏面不織布、３０  ：吸収コア、４０、４０Ｂ、４０Ｃ  ：接合部、５０、５０Ｘ、５０Ａ、５０Ｂ、５０Ｃ、５０Ｄ、５０Ｅ、５０Ｆ、５０Ｇ、５０Ｈ、５０Ｉ、５０Ｊ、５０Ｋ、５０Ｌ  ：目印部、５３、５３Ｘ、５３Ａ  ：頭側目印部、５４、５４Ｘ、５４Ａ  ：股側目印部、Ｔ  ：厚み方向、Ｗ  ：胴回り方向、Ｚ  ：交差方向
【図１】
2020188750.tif 000003
【図２】
2020188750.tif 000004
【図３】
2020188750.tif 000005
【図４】
2020188750.tif 000006
【図５】
2020188750.tif 000007
【図６】
2020188750.tif 000008
【図７】
2020188750.tif 000009
【図８】
2020188750.tif 000010
【図９】
2020188750.tif 000011
【図１０】
2020188750.tif 000012